(57)【要約】【課題】  組み立ておよび分解が可能なダイヤル錠に採用することで、ダイヤル錠の使用者本人だけが容易に着脱交換することが可能なクリック用板バネを提供する。【解決手段】  クリック用板バネが、ダイヤル部材の所定の回転位置においてダイヤル部材を節度停止させる為のクリック脚、錠本体に装着するための装着脚、およびクリック脚と装着脚をつなぐ板バネ基部を備える構造として、錠本体のダイヤル収納部と外側面の間の壁に板バネ取り付け部を設け、クリック用板バネを、板バネ取り付け部に対し、錠本体の外側面から、ダイヤル収納部に向けて差し込むことにより装着可能とし、板バネ取り付け部に装着されたクリック用板バネを、ダイヤル収納部の側からのみ、装着脚の錠本体に対する係止を外して、板バネ取り付け部より取り外し可能にする。【選択図】図５
2011241581.tif 000002
【特許請求の範囲】
【請求項１】
錠本体と、複数のダイヤル部材と、前記ダイヤル部材で係止されることにより施錠される長尺状の係止部材と、前記錠本体に着脱可能に装着されるクリック用板バネとを備えるダイヤル錠であって、
前記錠本体は、前記ダイヤル部材を収納するための陥凹部であるダイヤル収納部と、板バネ取り付け部とを有し、
前記クリック用板バネは、前記ダイヤル部材を所定の回転位置において節度停止させる為の部材であり、前記板バネ取り付け部に対し、前記錠本体の外側面から、前記ダイヤル収納部に向けて差し込むことにより装着され、
前記板バネ取り付け部に装着された前記クリック用板バネは、前記ダイヤル収納部の側からに限り、前記板バネ取り付け部より取り外しが可能なこと
を特徴とするダイヤル錠。
【請求項２】
請求項１記載のダイヤル錠であって、
前記ダイヤル部材は、所定の回転位置において節度停止する為のクリック用溝を有し、
前記クリック用板バネは、変形能および復元能を有し、板バネ基部と、クリック脚と装着脚とから成り、前記ダイヤル部材を所定の回転位置において節度停止させる部材であり、
前記板バネ取り付け部は、前記クリック用板バネを挿入して装着するためのスペースであり、板バネ基部用スペースと、クリック脚用貫通孔と、装着脚用貫通孔とを備え、
前記板バネ基部用スペースは、板バネ基部を収納する為の溝状のスペースであり、前記錠本体の外側面の側に位置し、前記錠本体の外側面に前記クリック用板バネを挿入する為の挿入口を有し、
前記クリック脚用貫通孔は、前記板バネ基部用スペースから、前記ダイヤル収納部に至る、クリック脚を挿入する為の貫通孔であり、
前記装着脚用貫通孔は、前記板バネ基部用スペースから、前記ダイヤル収納部に至る、装着脚を挿入する為の貫通孔であり、
前記クリック脚は、前記クリック用板バネの前記板バネ取り付け部への装着時に前記クリック用板バネを挿入する方向と同じ方向、または、ほぼ同じ方向に、前記板バネ基部から棒状あるいは板状に突出し、前記ダイヤル部材の節度停止を行う部位であり、前記クリック用板バネが前記板バネ取り付け部に装着された状態では、前記クリック脚の先端部が、前記板バネ取り付け部の前記貫通孔を貫通して、前記ダイヤル収納部の中に立設され、前記ダイヤル部材の所定の回転位置において、前記先端部が前記クリック用溝の中に位置することで前記ダイヤル部材の節度停止を行い、
前記装着脚は、前記クリック用板バネの前記板バネ取り付け部への装着時に前記クリック用板バネを挿入する方向と同じ方向、または、ほぼ同じ方向に、前記板バネ基部から棒状あるいは板状に突出し、前記クリック用板バネを前記錠本体に装着する為の部位であり、挿入方向の先端部付近に、係止爪を備え、
前記係止爪は、板バネ取り付け部に挿入し装着された前記クリック用板バネを、前記錠本体に係止するための突起であり、
前記クリック用板バネの前記板バネ取り付け部への装着時における、前記装着脚用貫通孔への前記装着脚の挿入に伴い、前記係止爪が、前記装着脚用貫通孔の壁面に当たり、前記装着脚または前記板バネ基部が変形しなければならないように、前記クリック用板バネは構成されており、
前記クリック用板バネの前記板バネ取り付け部への装着は、前記クリック用板バネを前記板バネ取り付け部に、前記錠本体の外側面の側から、前記ダイヤル収納部に向けて押し込みながら挿入することで、前記貫通孔への前記装着脚の挿入の進行に伴い、前記装着脚または前記板バネ基部の前記変形能により、前記係止爪が前記装着脚用貫通孔の壁面を乗り越え、前記装着脚または前記板バネ基部の前記復元能により、前記係止爪が前記装着脚用貫通孔の前記ダイヤル収納部の側の縁を係止することによりなされ、
前記クリック用板バネの前記板バネ取り付け部からの取り外しは、前記ダイヤル収納部から前記ダイヤル部材を取り外した状態において、前記ダイヤル収納部の側から、前記装着脚用貫通孔の前記ダイヤル収納部の側の縁に対する前記係止爪の係止を外し、前記ダイヤル収納部の側から前記挿入口へ前記クリック用板バネを押し出すことにより、前記板バネ取り付け部から前記クリック用板バネの取り外しが可能であること
を特徴とするダイヤル錠。
【請求項３】
請求項２記載のダイヤル錠であって、
前記ダイヤル錠は、前記錠本体に支持される軸部材を備え、
前記錠本体は、外部から前記軸部材が軸方向に挿入される錠本体軸孔または錠本体軸穴を有し、
前記ダイヤル部材は、外部から前記軸部材が軸方向に挿入されるダイヤル軸孔を有し、
前記ダイヤル部材は、前記軸部材を回転軸とし、
前記ダイヤル部材は、前記ダイヤル収納部に収納後、前記軸部材を、前記錠本体の外側から、前記錠本体軸孔、前記ダイヤル軸孔、前記錠本体軸孔または前記錠本体軸穴の順に挿入することにより、前記錠本体に回転可能に取り付けられ、
前記ダイヤル収納部からの前記ダイヤル部材の取り外しは、前記軸部材を前記錠本体と前記ダイヤル部材から抜去することによること
を特徴とするダイヤル錠。
【請求項４】
請求項２記載のダイヤル錠であって、
前記ダイヤル収納部は、前記ダイヤル部材を出し入れする為のダイヤル部材装填口を有し、
前記ダイヤル錠は、前記ダイヤル収納部に前記ダイヤル部材を収納後、前記ダイヤル部材装填口に蓋をして、前記ダイヤル収納部から前記ダイヤル部材を取り出せないようにする為のネジ式の副部材を備え、
前記ネジ式の副部材は、前記ダイヤル部材装填口に対して、ネジ式に着脱が可能であり、
前記ダイヤル収納部からの前記ダイヤル部材の取り外しは、前記ネジ式の副部材を前記ダイヤル部材装填口から取り外すことにより可能であること
を特徴とするダイヤル錠。
【請求項５】
請求項２記載のダイヤル錠であって、
前記ダイヤル収納部は、前記ダイヤル部材を出し入れする為のダイヤル部材装填口を有し、
前記ダイヤル錠は、前記ダイヤル収納部に前記ダイヤル部材を収納後、前記ダイヤル部材装填口に蓋をして、前記ダイヤル収納部から前記ダイヤル部材を取り出せないようにする為の差し込み式の副部材を備え、
前記差し込み式の副部材は、前記ダイヤル部材装填口に対して、着脱が可能であり、
前記ダイヤル収納部からの前記ダイヤル部材の取り外しは、前記差し込み式の副部材を前記ダイヤル部材装填口から取り外すことにより可能であること
を特徴とするダイヤル錠。
【請求項６】
請求項２記載のクリック用板バネであって、前記クリック用板バネは、前記ダイヤル部材を所定の回転位置において節度停止させる為のクリック用板バネ。
【請求項７】
請求項２記載の板バネ取り付け部であって、前記板バネ取り付け部は、前記クリック用板バネを取り付ける為の板バネ取り付け部。
【発明の詳細な説明】
【技術分野】
【０００１】
本発明は、ダイヤル部材の所定の回転位置において、ダイヤル部材を節度停止させる為のクリック用板バネを有するダイヤル錠と、クリック用板バネの着脱に関する。
【背景技術】
【０００２】
従来、組み立てコストを削減すること、あるいは、構成部材を交換することを目的とした、使用者本人による組み立てと分解が可能なダイヤル錠があり、それらの技術が特許文献１および特許文献２で公開されている。
【特許文献１】特許第３９８７５６７号公報
【特許文献２】特許第４３６３５７７号公報
【発明の開示】
【発明が解決しようとする課題】
【０００３】
しかしながら、上記従来の組み立てと分解が可能なダイヤル錠は、施錠状態にあるダイヤル錠のダイヤル部材を回転させることで生じる、回転に伴う微妙な抵抗の変化から、ダイヤル部材の解錠位置を知られてしまうことを防ぐ為のクリック用板バネを備えてはいなかった。
【０００４】
また、例えば、上記従来の組み立てと分解が可能なダイヤル錠が、ダイヤル部材と、柔軟性のある樹脂製やゴム製の長尺状の係止部材とを備え、ダイヤル部材により、長尺状の係止部材を任意の位置で係止して、施錠するダイヤル錠の場合、施錠装置としての強度は、ほぼ、係止部材の強度で決まると考えられる。その為、柔軟性のある長尺状の係止部材を備えるダイヤル錠においては、係止部材以外の部材の強度を、係止部材の強度よりやや勝る程度まで落とすことにより係止部材以外の部材の作製コストを抑えることが出来る。いかしながら、金属製とは異なり作製コストは安いが耐久性能が低い樹脂製やゴム製などのクリック用板バネを用いた場合、ダイヤル部材の回転に伴って磨耗や損傷が生じやすく、単に、クリック用板バネを錠本体に取り付けただけでは、一旦、クリック用板バネに磨耗や破損が生じると、ダイヤル部材を回転させて、ダイヤル部材の解錠回転位置を触知することにより、ダイヤル錠の使用者本人以外の第三者に不正開錠されてしまう恐れがある。
【０００５】
そこで、本発明は、接着、溶接やネジ留めをせず、ネジまわし等の専用の工具を用いることなく、装着が容易であり、ダイヤル部材をダイヤル収納部から取り外した状態に限り、錠本体から取り外しが可能なクリック用板バネを備え、クリック用板バネの交換が容易なダイヤル錠を提供することを目的とし、解錠時に限り、ダイヤル部材の取り外しが可能なダイヤル錠に採用することにより、解錠時に限り交換可能なクリック用板バネの構造を提供することを目的とする。
【課題を解決するための手段】
【０００６】
上記課題を解決する為に、本発明に係るダイヤル錠は、錠本体と、複数のダイヤル部材と、前記ダイヤル部材で係止されることにより施錠される長尺状の係止部材と、前記錠本体に着脱可能に装着されるクリック用板バネとを備えるダイヤル錠であって、前記錠本体は、前記ダイヤル部材を収納するための陥凹部であるダイヤル収納部と、板バネ取り付け部とを有し、前記クリック用板バネは、前記ダイヤル部材を所定の回転位置において節度停止させる為の部材であり、前記板バネ取り付け部に対し、前記錠本体の外側面から、前記ダイヤル収納部に向けて差し込むことにより装着され、前記板バネ取り付け部に装着された前記クリック用板バネは、前記ダイヤル収納部の側からに限り、前記板バネ取り付け部より取り外しが可能なことを特徴とする。
【０００７】
更に、本発明に係るダイヤル錠は、前記ダイヤル部材は、所定の回転位置において節度停止する為のクリック用溝を有し、前記クリック用板バネは、変形能および復元能を有し、板バネ基部と、クリック脚と装着脚とから成り、前記ダイヤル部材を所定の回転位置において節度停止させる部材であり、前記板バネ取り付け部は、前記クリック用板バネを挿入して装着するためのスペースであり、板バネ基部用スペースと、クリック脚用貫通孔と、装着脚用貫通孔とを備え、前記板バネ基部用スペースは、板バネ基部を収納する為の溝状のスペースであり、前記錠本体の外側面の側に位置し、前記錠本体の外側面に前記クリック用板バネを挿入する為の挿入口を有し、前記クリック脚用貫通孔は、前記板バネ基部用スペースから、前記ダイヤル収納部に至る、クリック脚を挿入する為の貫通孔であり、前記装着脚用貫通孔は、前記板バネ基部用スペースから、前記ダイヤル収納部に至る、装着脚を挿入する為の貫通孔であり、前記クリック脚は、前記クリック用板バネの前記板バネ取り付け部への装着時に前記クリック用板バネを挿入する方向と同じ方向、または、ほぼ同じ方向に、前記板バネ基部から棒状あるいは板状に突出し、前記ダイヤル部材の節度停止を行う部位であり、前記クリック用板バネが前記板バネ取り付け部に装着された状態では、前記クリック脚の先端部が、前記板バネ取り付け部の前記貫通孔を貫通して、前記ダイヤル収納部の中に立設され、前記ダイヤル部材の所定の回転位置において、前記先端部が前記クリック用溝の中に位置することで前記ダイヤル部材の節度停止を行い、前記装着脚は、前記クリック用板バネの前記板バネ取り付け部への装着時に前記クリック用板バネを挿入する方向と同じ方向、または、ほぼ同じ方向に、前記板バネ基部から棒状あるいは板状に突出し、前記クリック用板バネを前記錠本体に装着する為の部位であり、挿入方向の先端部付近に、係止爪を備え、前記係止爪は、板バネ取り付け部に挿入し装着された前記クリック用板バネを、前記錠本体に係止するための突起であり、前記クリック用板バネの前記板バネ取り付け部への装着時における、前記装着脚用貫通孔への前記装着脚の挿入に伴い、前記係止爪が、前記装着脚用貫通孔の壁面に当たり、前記装着脚または前記板バネ基部が変形しなければならないように、前記クリック用板バネは構成されており、前記クリック用板バネの前記板バネ取り付け部への装着は、前記クリック用板バネを前記板バネ取り付け部に、前記錠本体の外側面の側から、前記ダイヤル収納部に向けて押し込みながら挿入することで、前記貫通孔への前記装着脚の挿入の進行に伴い、前記装着脚または前記板バネ基部の前記変形能により、前記係止爪が前記装着脚用貫通孔の壁面を乗り越え、前記装着脚または前記板バネ基部の前記復元能により、前記係止爪が前記装着脚用貫通孔の前記ダイヤル収納部の側の縁を係止することによりなされ、前記クリック用板バネの前記板バネ取り付け部からの取り外しは、前記ダイヤル収納部から前記ダイヤル部材を取り外した状態において、前記ダイヤル収納部の側から、前記装着脚用貫通孔の前記ダイヤル収納部の側の縁に対する前記係止爪の係止を外し、前記ダイヤル収納部の側から前記挿入口へ前記クリック用板バネを押し出すことにより、前記板バネ取り付け部から前記クリック用板バネの取り外しが可能であることを特徴とすることが出来る。
更に、本発明に係るダイヤル錠は、前記ダイヤル錠は、前記錠本体に支持される軸部材を備え、前記錠本体は、外部から前記軸部材が軸方向に挿入される錠本体軸孔または錠本体軸穴を有し、前記ダイヤル部材は、外部から前記軸部材が軸方向に挿入されるダイヤル軸孔を有し、前記ダイヤル部材は、前記軸部材を回転軸とし、前記ダイヤル部材は、前記ダイヤル収納部に収納後、前記軸部材を、前記錠本体の外側から、前記錠本体軸孔、前記ダイヤル軸孔、前記錠本体軸孔または前記錠本体軸穴の順に挿入することにより、前記錠本体に回転可能に取り付けられ、前記ダイヤル収納部からの前記ダイヤル部材の取り外しは、前記軸部材を前記錠本体と前記ダイヤル部材から抜去することによることを特徴とすることが出来る。
【０００８】
この構造により、本発明のダイヤル錠は、例えば、図１〜図１５に示す様な形態をとることができる。
【０００９】
図１〜図１５に示すダイヤル錠１０の場合、ダイヤル収納部となる陥凹部を形成する錠本体の壁の厚みを４〜５ｍｍ程度にすることが可能である。
ダイヤル収納部となる陥凹部を形成する錠本体の壁の厚みが４〜５ｍｍ程度さえあれば、その厚みの間に、図２〜図３に示す板バネ取り付け部を形成することが可能であり、図５に示す様に、ダイヤル収納部となる陥凹部を形成する壁の外側面の側から、陥凹部の側である内側面の側へ向けて、クリック用板バネを板バネ取り付け部に押し込むだけで、クリック用板バネを板バネ取り付け部に装着可能となり、ダイヤル収納部の側から、クリック用板バネの板バネ取り付け部に対する係止を外すことにより、板バネ取り付け部からのクリック用板バネの取り外しが可能となる。
【００１０】
上述の構造を有する、図１〜図１５に示すダイヤル錠１０においては、クリック用板バネの板バネ取り付け部への装着は、ダイヤル収納部にダイヤル部材が収納された状態でも、ダイヤル収納部にダイヤル部材が収納されていない状態でも可能である。
また、上述の構造を有する、図１〜図１５に示すダイヤル錠１０において、クリック用板バネの板バネ取り付け部からの取り外しは、ダイヤル収納部にダイヤル部材が収納されていない状態でなければ、ダイヤル部材が妨げとなり不可能となる。
【００１１】
つまり、クリック用板バネの板バネ取り付け部への装着は、ダイヤル錠の組み立て過程のどの段階においても可能であるが、組み立てが完成したダイヤル錠からのクリック用板バネの取り外しは、必ず、ダイヤル収納部からダイヤル部材を取り外してから行う必要がある。
【００１２】
上述の本発明のクリック用板バネと板バネ取り付け部を有するダイヤル錠の構造を、特許第３９８７５６７号公報および特許第４３６３５７７号公報で開示された、解錠時に限り分解が可能となるダイヤル錠に採用することにより、施錠状態では、ダイヤル収納部からダイヤル部材を取り外せない為に、クリック用板バネの板バネ取り付け部からの取り外しが出来ないダイヤル錠を提供することが可能となる。
【００１３】
なお、図１〜図１５に示すダイヤル錠１０は、以下の（１）〜（３）の構造上の特徴を有している。
（１）上述のクリック用板バネと板バネ取り付け部を有するダイヤル錠の構造。
（２）特許第３９８７５６７号公報で開示されている、解錠時には、係止部材を施錠部位から抜去した後、錠本体からダイヤル部材の回転軸となる軸部材を抜去することにより、錠本体と、ダイヤル部材と、軸部材とを分解可能で、施錠時には、係止部材をダイヤル部材で係止して施錠することにより、軸部材を係止部材で錠本体にロックすることで、分解不可能となるダイヤル錠の構造。
（３）特許第４３６３５７７号公報で開示されている、複数の錠本体形成部材をスライド式に組み立てて錠本体を形成し、錠本体のダイヤル収納部にダイヤル部材を収納した後に、錠本体とダイヤル部材が備える軸部材を挿入する為の孔または穴に軸部材を挿入して、軸部材を錠本体形成部材の間に跨らせることにより、軸部材あるいはダイヤル部材をスライド留め部材として機能させるダイヤル錠の構造。
【００１４】
その結果、ダイヤル錠１０は、ダイヤル錠の使用者本人だけが、ダイヤル錠からクリック用板バネの脱着が可能となり、施錠状態のダイヤル錠からクリック用板バネを取り外すことが出来なくなることで、ダイヤル錠の使用者本人以外の者が、ダイヤル部材を回転させて、ダイヤル部材の解錠回転位置を触知することによりなされる不正開錠を防止することが可能となる。
【００１５】
また、この本発明に係るクリック用板バネと板バネ取り付け部の構造は、様々なダイヤル錠に採用することが可能である。
【００１６】
具体的な例として、本発明に係るクリック用板バネと板バネ取り付け部の構造は、以下の（１）〜（４）に示す様なダイヤル錠に、採用することが可能である。
（１）本発明の図１〜図１５に示すダイヤル錠１０の様に、軸部材を有するダイヤル錠。
（２）特許第３９８７５６７号公報の図６１Ａ、図６１Ｂ（ａ）のダイヤル錠の様に、軸部材がなく、ダイヤル収納部にダイヤル部材を収納後、ダイヤル収納部からダイヤル部材が取り出せないように、ネジ式の副部材で蓋をすることで組み立てることが可能なダイヤル錠。
（３）特許第３９８７５６７号公報の図６１Ｂ（ｂ）〜図６１Ｂ（ｄ）、図６１Ｃ（ａ）〜図６１Ｃ（ｄ）のダイヤル錠の様に、軸部材がなく、ダイヤル収納部にダイヤル部材を収納後、ダイヤル収納部からダイヤル部材が取り出せないように、差し込み式の副部材で蓋をすることで組み立てることが可能なダイヤル錠。
（４）特許第３９８７５６７号公報の図６１Ｃ（ｅ）のダイヤル錠の様に、軸部材と差し込み式の副部材を有するダイヤル錠。
【００１７】
ここで、本発明の図１〜図１５に示すダイヤル錠は、以下の（１）〜（７）手順で、組み立てて施錠することが可能なダイヤル錠である。
（１）錠本体上部と錠本体下部をスライド式に組み立てて錠本体を形成する。
（２）錠本体の係止部材取付孔にダイヤル収納部の側から係止部材を挿入することにより係止部材を取り付ける。
（３）錠本体のダイヤル収納部にダイヤル部材を装填する。
（４）錠本体の錠本体軸孔およびダイヤル部材のダイヤル軸孔に軸部材を挿入することによりダイヤル部材を回転可能に錠本体に取り付ける。
（５）ダイヤル部材を解錠位置に回転させる。
（６）錠本体と軸部材とダイヤル部材から成る施錠部に係止部材を挿入する。
（７）ダイヤル部材を施錠位置に回転して施錠する。
【００１８】
次に、本発明の図１〜図１５に示すダイヤル錠は、施錠時において、以下の（１）〜（５）の理由で、分解できなくなるダイヤル錠である。
（１）施錠時には、係止部材がダイヤル部材によりロックされて抜去できなくなる。
（２）軸部材の錠本体に対する挿抜方向とは異なる方向に係止部材が軸部材と錠本体とに跨って存在する為に軸部材もロックされて、軸部材が錠本体から抜き出せなくなる。
（３）軸部材が錠本体から抜き出せないので、ダイヤル部材のダイヤル収納部からの取り出しが不可能となる。
（４）係止部材がダイヤル部材によりロックされている上に、ダイヤル部材がダイヤル収納部から取り出せないので、係止部材が係止部材取付部から抜き出せなくなる。
（５）軸部材および係止部材が妨げとなり、錠本体をスライドさせて錠本体上部と錠本体下部に分解できなくなる。
【００１９】
しかし、本発明の図１〜図１５に示すダイヤル錠は、以下の（１）〜（６）手順で、分解が可能なダイヤル錠である。
（１）ダイヤル部材による係止部材のロックを解除する。
（２）施錠部から係止部材を抜去する。
（３）錠本体とダイヤル部材から軸部材を抜去する。
（４）（ダイヤル部材を錠本体に取り付けていた軸部材がなくなるので、）ダイヤル部材をダイヤル収納部から取り出す。
（５）ダイヤル収納部の側から係止部材を抜去して、錠本体から係止部材を取り去る。
（６）（軸部材の抜去、ダイヤル部材の取り出し、および係止部材の抜去により妨げがなくなるので、）錠本体をスライドさせて錠本体上部と錠本体下部に分解し、ダイヤル錠の分解が完成する。
【００２０】
上述の様に、本発明の図１〜図１５に示すダイヤル錠は、解錠時に限り分解が可能なダイヤル錠である。
【００２１】
なお、スライド式に組み立ておよび分解が可能な錠本体を有するダイヤル錠に関しての技術の詳細は、特許第４３６３５７７号公報で公開されている。
【００２２】
ここで、特許第３９８７５６７号公報の図６１Ａ、図６１Ｂ（ａ）で開示された軸部材を有してはいないダイヤル錠は、ダイヤル収納部にダイヤル部材を収納後、ダイヤル収納部からダイヤル部材が取り出せないように、ネジ式の副部材で蓋をすることで組み立てることが可能で、施錠時には、係止部材が副部材を貫通することで、係止部材が妨げとなり副部材を回転させられなくして、錠本体から副部材を取り外せなくすることにより分解出来なくして、解錠時に限り、係止部材を抜き出して、錠本体からネジ式の副部材を回転させて取り外してからダイヤル部材を取り出せる構造のダイヤル錠である。
つまり、本発明に係るクリック用板バネと板バネ取り付け部の構造を備えるダイヤル錠は、また、前記ダイヤル収納部は、前記ダイヤル部材を出し入れする為のダイヤル部材装填口を有し、前記ダイヤル錠は、前記ダイヤル収納部に前記ダイヤル部材を収納後、前記ダイヤル部材装填口に蓋をして、前記ダイヤル収納部から前記ダイヤル部材を取り出せないようにする為のネジ式の副部材を備え、前記ネジ式の副部材は、前記ダイヤル部材装填口に対して、ネジ式に着脱が可能であり、前記ダイヤル収納部からの前記ダイヤル部材の取り外しは、前記ネジ式の副部材を前記ダイヤル部材装填口から取り外すことにより可能であることを特徴としても良い。
【００２３】
また、特許第３９８７５６７号公報の図６１Ｂ（ｂ）〜図６１Ｂ（ｄ）および図６１Ｃ（ａ）〜図６１Ｃ（ｄ）で開示された軸部材を有してはいないダイヤル錠は、ダイヤル収納部にダイヤル部材を収納後、ダイヤル収納部からダイヤル部材が取り出せないように、差し込み式の副部材で蓋をすることで組み立てることが可能で、施錠時には、係止部材が副部材を貫通することで、係止部材が妨げとなり錠本体から副部材を抜き出せなくすることにより分解出来なくして、解錠時に限り、係止部材を抜き出して、錠本体から差し込み式の副部材を取り外してからダイヤル部材を取り出せる構造のダイヤル錠である。
つまり、本発明に係るクリック用板バネと板バネ取り付け部の構造を備えるダイヤル錠は、また、前記ダイヤル収納部は、前記ダイヤル部材を出し入れする為のダイヤル部材装填口を有し、前記ダイヤル錠は、前記ダイヤル収納部に前記ダイヤル部材を収納後、前記ダイヤル部材装填口に蓋をして、前記ダイヤル収納部から前記ダイヤル部材を取り出せないようにする為の差し込み式の副部材を備え、前記差し込み式の副部材は、前記ダイヤル部材装填口に対して、着脱が可能であり、前記ダイヤル収納部からの前記ダイヤル部材の取り外しは、前記差し込み式の副部材を前記ダイヤル部材装填口から取り外すことにより可能であることを特徴としても良い。
【００２４】
また、勿論、ダイヤル錠の組み立てに必要な留め部材であるネジやピン等の部材を、解錠時に外すことにより分解可能で、ダイヤル部材の取り外しが可能なダイヤル錠にも、本発明に係るクリック用板バネと板バネ取り付け部の構造を採用することが可能である。
【００２５】
この様に、本発明のクリック用板バネと板バネ取り付け部の構造は、解錠時に限りダイヤル部材を錠本体から取り外すことが可能なダイヤル錠に採用することで、ダイヤル部材を回転させて、ダイヤル部材の解錠回転位置を触知することによりなされる不正開錠を防止すると共に、クリック用板バネの磨耗や破損時に、ダイヤル錠を分解してダイヤル部材を取り外した後、ダイヤル収納部の側からクリック用板バネの係止爪の錠本体に対する係止を外すことによりクリック用板バネを取り外して、クリック用板バネの交換を容易に行うことを可能とする。
【００２６】
また、本発明のクリック用板バネと板バネ取り付け部の構造は、上述の様に、ダイヤル錠（施錠装置）が、ダイヤル部材の回転軸となる軸部材を有しているかどうかに関係なく、ダイヤル部材を有するダイヤル錠に採用することが可能である。
【発明の効果】
【００２７】
解錠時に限りダイヤル部材を取り外せるダイヤル錠に、ダイヤル収納部にダイヤル部材が無い状態に限り、クリック用板バネが取り外し可能となるように、本発明の着脱が容易なクリック用板バネと板バネ取り付け部の構造を採用することで、解錠時に分解して、ダイヤル収納部からダイヤル部材を取り外してから、クリック用板バネを交換することが可能となり、耐久性能には劣っても、安価な素材でクリック用板バネを作製して用いることが可能となるので、解錠時に限りダイヤル部材を取り外せるダイヤル錠にクリック用板バネを採用しても、ダイヤル錠作製に掛かる費用を抑えることが可能となる。
【発明を実施するための最良の形態】
【００２８】
以下に、本発明の実施の形態を、図面を参照して説明する。
【００２９】
図１は、ダイヤル錠１０を様々な方向から見た図である。
【００３０】
図１（ａ）、図１（ｂ）、図１（ｃ）、図１（ｄ）、図１（ｅ）、図１（ｆ）、図１（ｇ）は順に、ダイヤル錠１０の平面図（上面図）、正面図（前面図）、背面図（後面図）、底面図（下面図）、右側面図、左側面図、右前上方から見た斜視図である。
【００３１】
図１（ａ）〜図１（ｇ）に示すダイヤル錠１０は、錠本体上部１００Ａ、錠本体下部１００Ｂ、ダイヤル部材２００、ダイヤル部材２１０、ダイヤル部材２２０、軸部材３００、係止部材４００およびクリック用板バネ５００から構成されている。
なお、係止部材４００は複数の係止用凸部４０３を有している。
【００３２】
以下に、ダイヤル錠１０を構成する部材の関係について簡単に説明する。
【００３３】
錠本体上部１００Ａと、錠本体下部１００Ｂとは、スライド式に組み立てが可能な部材であり、スライド式に組み立てて錠本体１００を形成する為の部材である。なお、錠本体上部１００Ａと錠本体下部１００Ｂをスライド式に組み立てる手順については、図９を用いて後述する。
次に、ダイヤル部材２００、ダイヤル部材２１０、ダイヤル部材２２０は、係止部材４００の有する係止用凸部４０３を係止することにより施錠を可能とする部材であり、軸部材３００は、ダイヤル部材２００、ダイヤル部材２１０およびダイヤル部材２２０を、回転可能に錠本体１００に取り付ける為の部材である。
また、係止部材４００は複数の係止用凸部４０３を有しており、ダイヤル部材２００、ダイヤル部材２１０またはダイヤル部材２２０の内の少なくとも１つにより、任意の係止用凸部４０３が係止されることにより、係止部材４００は、錠本体１００、ダイヤル部材２００、ダイヤル部材２１０、ダイヤル部材２２０、軸部材３００から成る施錠部から、挿抜不可能となる部材である。
なお、係止部材４００の両端の内の一端は錠本体１００に取り付けられており、ダイヤル部材２００、ダイヤル部材２１０、ダイヤル部材２２０が解錠回転位置にある状態で、係止部材４００の両端の内の他端を施錠部に挿入した後、ダイヤル部材２００、ダイヤル部材２１０およびダイヤル部材２２０の内の少なくとも１つを回転させて、ダイヤル部材２００、ダイヤル部材２１０またはダイヤル部材２２０の内の少なくとも１つを施錠回転位置にすることにより、係止部材４００の有する係止用凸部４０３は、施錠回転位置にあるダイヤル部材で係止することが可能となる。
また、クリック用板バネ５００は、ダイヤル部材２００、ダイヤル部材２１０およびダイヤル部材２２０の各々の所定の回転位置において、ダイヤル部材２００、ダイヤル部材２１０およびダイヤル部材２２０を節度停止させる為の部材である。
【００３４】
以上のように、ダイヤル錠１０は、ダイヤル部材２００、ダイヤル部材２１０およびダイヤル部材２２０を節度停止させる為のクリック用板バネ５００を備え、図１に示す様に、錠本体上部１００Ａと錠本体下部１００Ｂから成る錠本体１００と、係止部材４００とを環状の状態にしてから、係止部材４００をダイヤル部材２００、ダイヤル部材２１０あるいはダイヤル部材２２０で係止することにより施錠することが可能なダイヤル錠であり、施錠の際に、錠本体１００と係止部材４００とで形成される環の大きさを自由に設定（調節）してから施錠することが可能なダイヤル錠である。
このダイヤル錠１０は、ペットボトルなどの容器に対して、キャップ（蓋）をした部分の上から網目状のネットを被せて、ネットの複数の網目の孔の中を縫うようにして係止部材４００を通してから、キャップ（蓋）の下のくびれた部分を締め付ける様にして施錠することが可能なダイヤル錠であり、くびれのある容器への毒物などの混入を防止することが可能な錠である。
【００３５】
図２は、錠本体下部１００Ｂを様々な方向から見た図である。
【００３６】
図２（ａ）〜図２（ｇ）は順に、錠本体下部１００Ｂの平面図、正面図、左側面図、右側面図、背面図、底面図および右前上方から見た斜視図である。
【００３７】
図３は、図２（ａ）に示したＡ−Ａの位置とＢ−Ｂの位置における錠本体下部１００Ｂの断面を、様々な方向から見た図である。
なお、図３は、錠本体下部１００Ｂの構造を分かりやすくする為に、図２に比べて拡大した図となっている。
【００３８】
図３（ａ）は、錠本体下部１００ＢのＢ−Ｂ断面を正面側から見た図、図３（ｂ）は錠本体下部１００ＢのＢ−Ｂ断面を右前上方から見た図、図３（ｃ）は錠本体下部１００ＢのＡ−Ａ断面を右側面側から見た図、図３（ｄ）は錠本体下部１００ＢのＡ−Ａ断面を右前上方から見た図である。なお、斜線部は断面を表している。
【００３９】
図２（ａ）〜図２（ｇ）および図３（ａ）〜図３（ｄ）に示す様に、錠本体下部１００Ｂは、係止部材取付孔形成溝１０１Ｂ、係止部材取付孔形成溝１１１Ｂ、錠本体軸孔形成溝１０２Ｂ、錠本体軸孔形成溝１１２Ｂ、係止用通路形成溝１０４Ｂ、係止用通路形成溝１１４Ｂ、ダイヤル収納部形成部１０５Ｂ、スライド用係合凸部１０６Ｂ、スライド用係合凸部１１６Ｂ、スライド用係合凹部１０７Ｂ、スライド用係合凹部１１７Ｂ、板バネ取り付け部１０８および錠本体上部１００Ａに対向する面１００ＳＢを備えている。
また、板バネ取り付け部１０８は、板バネ基部用スペース１０８ａ、クリック脚用貫通孔１０８ｂ、クリック脚用貫通孔１１８ｂ、クリック脚用貫通孔１２８ｂ、装着脚用貫通孔１０８ｃ、装着脚用貫通孔１１８ｃを備えている。
更に、クリック脚用貫通孔１１８ｂは、前壁１１８ｂａと後壁１１８ｂｐを有しており、クリック脚用貫通孔１２８ｂも、前壁と後壁１２８ｂｐを有しているが、クリック脚用貫通孔１２８ｂの前壁の符号による図示は省略している。同様に、クリック脚用貫通孔１０８ｂも、前壁と後壁を有しているが、符号による図示は省略している。
【００４０】
クリック脚用貫通孔の前壁とは、クリック脚用貫通孔を形成する前側の傾斜する壁のことであり、クリック脚用貫通孔の後壁とは、クリック脚用貫通孔を形成する後側の傾斜する壁のことである。
【００４１】
図３（ｃ）に示す様に、クリック脚用貫通孔１１８ｂの前壁１１８ｂａは、前方に傾斜する斜面となっている。
また、図３（ｃ）に示す様に、クリック脚用貫通孔１１８ｂの後壁１１８ｂｐは、後方に傾斜する斜面となっている。
つまり、クリック脚用貫通孔１１８ｂの前壁１１８ｂａと後壁１１８ｂｐの前後方向の間隔は、ダイヤル収納部形成部１０５Ｂに近い程、大きくなっている。
【００４２】
なお、係止用通路形成溝１０４Ｂと係止用通路形成溝１１４Ｂは、係止部材をダイヤル部材で係止する為の係止部材用の通路を形成する為の溝である。
【００４３】
図４は、クリック用板バネ５００を様々な方向から見た図である。
【００４４】
図４（ａ１）〜図４（ａ６）は順に、クリック用板バネ５００の左側面図、正面図、右側面図、背面図、底面図および右前上方から見た斜視図である。
【００４５】
図４（ｂ１）〜図４（ｂ６）は順に、拡大したクリック用板バネ５００の左側面図、正面図、右側面図、背面図、底面図および右前上方から見た斜視図である。
【００４６】
つまり、図４（ｂ１）は図４（ａ１）の拡大図、図４（ｂ２）は図４（ａ２）の拡大図、図４（ｂ３）は図４（ａ３）の拡大図、図４（ｂ４）は図４（ａ４）の拡大図、図４（ｂ５）は図４（ａ５）の拡大図、図４（ｂ６）は図４（ａ６）の拡大図である。
【００４７】
図４（ｂ１）〜図４（ｂ６）に示す様に、クリック用板バネ５００は、板バネ基部５００ａ、クリック脚５００ｂ、クリック脚５１０ｂ、クリック脚５２０ｂ、装着脚５００ｃ、装着脚５１０ｃ、を備えており、装着脚５００ｃは係止爪５００ｃｎを有し、装着脚５１０ｃは係止爪５１０ｃｎを有している。
【００４８】
なお、クリック用板バネ５００は、プラスチックや金属などで形成され、変形能と復元能を有している。
【００４９】
図５は、板バネ取り付け部１０８に対するクリック用板バネ５００の装着手順を示す図である。
【００５０】
なお、図５においては、錠本体下部１００Ｂの板バネ取り付け部１０８とクリック用板バネ５００の関係を分りやすくする為に、錠本体下部１００Ｂは図２のＢ−Ｂの位置における断面を用いている。
また、クリック用板バネ５００も、クリック用板バネ５００を錠本体下部１００Ｂに装着した図１の状態における、図２に示したＢ−Ｂの位置で切断して得られる断面を用いている。
更に、錠本体下部１００Ｂおよびクリック用板バネ５００の互いの関係が分りやすくなるように、図５は図１に比べて拡大した図となっている。
【００５１】
図５（ａ１）は、組み立て手順の第一段階として、板バネ取り付け部１０８とクリック用板バネ５００の前後方向、左右方向および上下方向を揃え、板バネ取り付け部１０８の真下にクリック用板バネ５００を位置させた状態を示す図である。
【００５２】
なお、板バネ取り付け部１０８の前後方向、左右方向および上下方向は、図１に示したダイヤル錠１０の前後方向、左右方向および上下方向と一致し、図２に示した錠本体下部１００Ｂの前後方向、左右方向および上下方向と一致する。
【００５３】
図５（ａ２）は、組み立て手順の第二段階として、クリック用板バネ５００を板バネ取り付け部１０８の板バネ基部用スペース１０８ａの中に挿入した状態を示す図である。
まだ、クリック用板バネ５００は、板バネ基部用スペース１０８ａの上方の壁、装着脚用貫通孔１０８ｃの左側の壁および装着脚用貫通孔１１８ｃの右側の壁に行き当たっていない状態である。
【００５４】
図５（ａ３）は、組み立て手順の第三段階として、クリック用板バネ５００の一部を、更に板バネ取り付け部１０８の中に押し込み、クリック用板バネ５００が変形した状態を示す図である。
クリック用板バネ５００の装着脚５００ｃが、板バネ基部用スペース１０８ａの上方の壁および装着脚用貫通孔１０８ｃの左側の壁に行き当たり、装着脚５１０ｃが、板バネ基部用スペース１０８ａの上方の壁および装着脚用貫通孔１１８ｃの右側の壁に行き当たった結果、装着脚５００ｃと装着脚５１０ｃの間隔が開く様にしてクリック用板バネ５００が変形しながら、板バネ取り付け部１０８に挿入されている状態である。
【００５５】
図５（ａ４）は、組み立て手順の第四段階として、クリック用板バネ５００を、更に板バネ取り付け部１０８の中に押し込み、クリック用板バネ５００の板バネ取り付け部１０８に対する装着が完了した状態を示す図である。
装着脚５００ｃの係止爪５００ｃｎは、装着脚用貫通孔１０８ｃを通過すると、装着脚用貫通孔１０８ｃの左側の壁による右方への力を受けなくなり、装着脚５１０ｃの係止爪５１０ｃｎは、装着脚用貫通孔１１８ｃを通過すると、装着脚用貫通孔１１８ｃの右側の壁による左方への力を受けなくなる。
上記により、自身の有する復元能に基づき、クリック用板バネ５００は、全体として元の形状に戻ろうとして、装着脚５００ｃと装着脚５１０ｃの開いていた間隔が狭くなる。
その結果、装着脚５００ｃの係止爪５００ｃｎが、装着脚用貫通孔１０８ｃのダイヤル収納部形成部１０５Ｂの側の縁を係止し、装着脚５１０ｃの係止爪５１０ｃｎが、装着脚用貫通孔１１８ｃのダイヤル収納部形成部１０５Ｂの側の縁を係止する。
【００５６】
以上の、第一段階〜第四段階の手順により、クリック用板バネ５００の板バネ取り付け部１０８に対する装着は完了する。
【００５７】
また、図５（ｂ１）は図５（ａ１）と同じ状態を右前上方から見た斜視図、図５（ｂ２）は図５（ａ２）と同じ状態を右前上方から見た斜視図、図５（ｂ３）は図５（ａ３）と同じ状態を右前上方から見た斜視図、図５（ｂ４）は図５（ａ４）と同じ状態を右前上方から見た斜視図である。
【００５８】
また、装着されたクリック用板バネ５００の板バネ取り付け部１０８からの取り外しは、ダイヤル収納部形成部１０５Ｂの側から、装着脚用貫通孔１０８ｃのダイヤル収納部形成部１０５Ｂの側の縁を係止している装着脚５００ｃの係止爪５００ｃｎの係止と、装着脚用貫通孔１１８ｃのダイヤル収納部形成部１０５Ｂの側の縁を係止している装着脚５１０ｃの係止爪５１０ｃｎの係止を外し、クリック用板バネ５００をダイヤル収納部形成部１０５Ｂの側から板バネ基部用スペース１０８ａ側に向けて押すことにより、簡単に行える。
つまり、クリック用板バネ５００の板バネ取り付け部１０８からの取り外しは、ダイヤル収納部の側からは簡単に行えるが、ダイヤル収納部の側からでなければ、板バネ取り付け部１０８に装着されたクリック用板バネ５００の係止爪５００ｃｎと係止爪５１０ｃｎの係止を取り外すことが出来ないので、施錠状態にあるダイヤル錠１０からは、クリック用板バネ５００を取り外すことが出来ないことになる。
【００５９】
図６は、クリック用板バネ５００を装着した錠本体下部１００Ｂの拡大図である。
【００６０】
図６（ａ）、図６（ｂ）、図６（ｃ）はそれぞれ、クリック用板バネ５００を装着した錠本体下部１００Ｂの平面図、正面図、右前上方から見た斜視図である。
【００６１】
また、図６（ｄ）は、クリック用板バネ５００を装着した錠本体下部１００Ｂの、図２に示したＡ−Ａの位置での断面を右前上方から見た図であり、図６（ｅ）は、クリック用板バネ５００を装着した錠本体下部１００Ｂの同じＡ−Ａの位置での断面を、少し異なる右前上方から見た図である。
【００６２】
図３に示した様に、クリック脚用貫通孔の前壁と後壁の前後方向の間隔が、ダイヤル収納部形成部１０５Ｂに近い程、広くなっていることで、クリック用板バネ５００は、板バネとしての効果を発揮しやすくなっている。
つまり、ダイヤル部材の回転の向きに応じて、クリック用板バネ５００のクリック脚は、回転に逆らわずに傾斜しやすくなっている。
【００６３】
ダイヤル部材の外周側面には、後述する図１１に示す様に、ダイヤル表示面、クリック用溝およびそのどちらでもない部分があり、ダイヤル部材の外周側面は、凹部および凸部を有する曲面となっている。
ダイヤル部材の回転に伴い、ダイヤル部材の外周側面の凸部にクリック脚が当接すると、クリック脚はダイヤル部材の回転方向の力を受けて傾斜し、クリック脚の近傍を凸部が通過して、凹部がクリック脚の近傍に来ると、凸部とクリック脚の当接が外れ、クリック用板バネ５００が有する復元能に基づき、クリック脚は傾斜前の位置に戻る。
ダイヤル部材は、複数の凸部と複数の凹部を有しており、クリック脚は凸部が来るたびに傾斜し、凹部が来るたびに傾斜前の位置に復位する。これにより、ダイヤル部材の回転に伴うクリック感が生ずる。
【００６４】
図７は、錠本体上部１００Ａを様々な方向から見た図である。
【００６５】
図７（ａ）〜図７（ｇ）に示す様に、錠本体上部１００Ａは、係止部材取付孔形成溝１０１Ａ、係止部材取付孔形成溝１１１Ａ、錠本体軸孔形成溝１０２Ａ、錠本体軸孔形成溝１１２Ａ、位置決めガイド用切欠部１０３、係止用通路形成溝１０４Ａ、 係止用通路形成溝１１４Ａ、ダイヤル収納部形成部１０５Ａ、スライド用係合凸部１０６Ａ、スライド用係合凸部１１６Ａ、スライド用係合凹部１０７Ａ、スライド用係合凹部１１７Ａおよび錠本体下部１００Ｂに対向する面１００ＳＡを備えている。
なお、係止用通路形成溝１０４Ａと係止用通路形成溝１１４Ａは、係止部材をダイヤル部材で係止する為の係止部材用の通路を形成する為の溝である。
【００６６】
図８は、上下を反転させた錠本体上部１００Ａを拡大して描いた斜視図である。
【００６７】
図８（ａ）は、図７（ａ）〜図７（ｇ）に示す錠本体上部１００Ａの正面側（前面側）と背面側（後面側）は入れ替えずに、左側面側と右側面側を入れ替えて、上面側と底面側（下面側）を反転させて裏返しにした状態のものを、右前上方から見た図である。
【００６８】
図８（ｂ）は、図７（ａ）〜図７（ｇ）に示す錠本体上部１００Ａの正面側（前面側）と背面側（後面側）は入れ替えずに、左側面側と右側面側を入れ替えて、上面側と底面側（下面側）を反転させて裏返しにした状態のものを、左後上方から見た図である。
【００６９】
図９は、錠本体上部１００Ａと錠本体下部１００Ｂをスライド式に組み立てる手順を示す図である。
【００７０】
図９（ａ１）は、組み立て手順の第一段階として、錠本体上部１００Ａと錠本体下部１００Ｂの前後方向の向きを同じにし、左右の端の位置を揃え、錠本体下部１００Ｂよりも錠本体上部１００Ａを少し前方の上方に位置させた状態を左側面側から見た図である。
【００７１】
図９（ａ２）は、組み立て手順の第二段階として、錠本体上部１００Ａの錠本体下部１００Ｂに対向する面１００ＳＡと錠本体下部１００Ｂの錠本体上部１００Ａに対向する面１００ＳＢを合わせた状態を左側面側から見た図である。
【００７２】
図９（ａ３）は、組み立て手順の第三段階として、錠本体下部１００Ｂのスライド用係合凹部１１７Ｂに、錠本体上部１００Ａのスライド用係合凸部１１６Ａをスライドさせながら挿入している状態を左側面側から見た図である。
また、図９（ａ３）は、錠本体上部１００Ａのスライド用係合凹部１１７Ａに、錠本体下部１００Ｂのスライド用係合凸部１１６Ｂをスライドさせながら挿入している状態を左側面側から見た図でもある。
【００７３】
図９（ａ４）は、組み立て手順の第四段階として、錠本体上部１００Ａのスライド用係合凸部１１６Ａと錠本体下部１００Ｂのスライド用係合凹部１１７Ｂを係合させて、錠本体上部１００Ａと錠本体下部１００Ｂにより錠本体１００の形成を完了した状態を、左側面側から見た図である。
また、図９（ａ４）は、錠本体上部１００Ａのスライド用係合凹部１１７Ａと錠本体下部１００Ｂのスライド用係合凸部１１６Ｂを係合させて、錠本体上部１００Ａと錠本体下部１００Ｂにより錠本体１００の形成を完了した状態を、左側面側から見た図でもある。
【００７４】
また、図９（ｂ１）および図９（ｃ１）は、図９（ａ１）と同じ組み立て手順の第一段階をそれぞれ、正面側（前面側）および右側面側から見た図である。
【００７５】
また、図９（ｂ２）、図９（ｃ２）および図９（ｄ２）は、図９（ａ２）と同じ組み立て手順の第二段階をそれぞれ、正面側（前面側）、右側面側および左後上方から見た図である。
【００７６】
また、図９（ｂ３）および図９（ｃ３）は、図９（ａ３）と同じ組み立て手順の第三段階をそれぞれ、正面側（前面側）および右側面側から見た図である。
【００７７】
つまり、図９（ｃ３）は、組み立て手順の第三段階として、錠本体下部１００Ｂのスライド用係合凹部１０７Ｂに、錠本体上部１００Ａのスライド用係合凸部１０６Ａをスライドさせながら挿入している状態を右側面側から見た図である。
また、図９（ｃ３）は、錠本体上部１００Ａのスライド用係合凹部１０７Ａに、錠本体下部１００Ｂのスライド用係合凸部１０６Ｂをスライドさせながら挿入している状態を右側面側から見た図でもある。
【００７８】
また、図９（ｂ４）、図９（ｃ４）および図９（ｄ４）は、図９（ａ４）と同じ組み立て手順の第四段階をそれぞれ、正面側（前面側）、右側面側および左後上方から見た図である。
【００７９】
つまり、図９（ｃ４）は、組み立て手順の第四段階として、錠本体上部１００Ａのスライド用係合凸部１０６Ａと錠本体下部１００Ｂのスライド用係合凹部１０７Ｂを係合させて、錠本体上部１００Ａと錠本体下部１００Ｂにより錠本体１００の形成を完了した状態を、右側面側から見た図である。
また、図９（ｃ４）は、錠本体上部１００Ａのスライド用係合凹部１０７Ａと錠本体下部１００Ｂのスライド用係合凸部１０６Ｂを係合させて、錠本体上部１００Ａと錠本体下部１００Ｂにより錠本体１００の形成を完了した状態を、右側面側から見た図でもある。
【００８０】
図９（ａ４）、図９（ｂ４）、図９（ｃ４）および図９（ｄ４）に示す様に、錠本体上部１００Ａと錠本体下部１００Ｂにより完成した錠本体１００は、係止部材取付孔１０１、係止部材取付孔１１１、錠本体軸孔１０２、錠本体軸孔１１２、係止用通路１０４および係止用通路１１４を備えている。
なお、係止部材取付孔１０１は、係止部材取付孔形成溝１０１Ａと係止部材取付孔形成溝１０１Ｂが合わさって形成され、係止部材取付孔１１１は、係止部材取付孔形成溝１１１Ａと係止部材取付孔形成溝１１１Ｂが合わさって形成され、錠本体軸孔１０２は、錠本体軸孔形成溝１０２Ａと錠本体軸孔形成溝１０２Ｂが合わさって形成され、錠本体軸孔１１２は、錠本体軸孔形成溝１１２Ａと錠本体軸孔形成溝１１２Ｂが合わさって形成され、
係止用通路１０４は、係止用通路形成溝１０４Ａと係止用通路形成溝１０４Ｂが合わさって形成され、係止用通路１１４は、係止用通路形成溝１１４Ａと係止用通路形成溝１１４Ｂが合わさって形成され、ダイヤル収納部１０５は、ダイヤル収納部形成部１０５Ａとダイヤル収納部形成部１０５Ｂが合わさって形成されるが、係止部材取付孔１０１とダイヤル収納部１０５の符号による図示は省略している。
【００８１】
図９（ｃ４）および図９（ｄ４）に示すように、錠本体上部１００Ａと錠本体下部１００Ｂから成る錠本体１００は、係止部材取付孔１０１および係止部材取付孔１１１を備えている。図９（ｃ４）および図９（ｄ４）に示す例では、係止部材取付孔１０１および係止部材取付孔１１１は一つの孔となり、錠本体１００のダイヤル収納部から左後外側面にかけて錠本体１００を貫通しており、係止部材取付孔１０１の錠本体のダイヤル収納部への開口部は、係止部材取付孔１１１の錠本体の左後外側面への開口部より大きくなっている。
【００８２】
図１０は、係止部材４００を示す図である。
【００８３】
図１０（ａ）は係止部材４００の平面図であり、図１０（ｂ）は係止部材４００を右前上方から見た斜視図である。
【００８４】
係止部材４００は、変形能を有するプラスチック、ゴム、金属などで形成されており、図１および図１０に示す様に形状を変化させることが可能である。
【００８５】
図１０（ａ）および図１０（ｂ）に示す様に、係止部材４００は、先端部４０１、後端部（不通過径大部）４０２および係止用凸部４０３を備えている。
【００８６】
先端部４０１は、錠本体１００に係止部材４００を取り付ける為に、係止部材４００を係止部材取付孔１０１および係止部材取付孔１１１に挿入する際に先端とする部分である。
また、先端部４０１は、施錠の為に、係止部材４００を係止用通路１０４および係止用通路１１４に挿入する際に先端とする部分でもある。
【００８７】
また、図１０（ａ）および図１０（ｂ）に示す様に、係止部材４００は、先端部４０１とは反対側の一端に、後端部（不通過径大部）４０２を有している。
後端部（不通過径大部）４０２は、係止部材取付孔１０１の中に入ることが出来るが、係止部材取付孔１１１を通過できない大きさとなっている。
【００８８】
また、係止用凸部４０３は、係止部材４００の長手方向に、等間隔に複数個並ぶように設けられている。
【００８９】
図１１は、ダイヤル部材２００、ダイヤル部材２１０、ダイヤル部材２２０を様々な方向から見た図である。
【００９０】
図１１（ａ１）〜図１１（ａ４）は順に、ダイヤル部材２００の左側面図、正面図（前面図）、右側面図、右前上方から見た斜視図である。
【００９１】
図１１（ｂ１）〜図１１（ｂ７）は順に、ダイヤル部材２１０の平面図（上面図）、左側面図、正面図（前面図）、右側面図、右前上方から見た斜視図、底面図（下面図）、左後上方から見た斜視図である。
【００９２】
図１１（ｃ１）〜図１１（ｃ４）は順に、ダイヤル部材２２０の左側面図、正面図（前面図）、右側面図、右前上方から見た斜視図である。
【００９３】
図１１（ａ１）〜図１１（ａ４）に示す様に、ダイヤル部材２００は、ダイヤル表示面２０１、ダイヤル軸孔２０２、クリック用溝２０３および係止部材通過用の切欠部２０４を備えている。
【００９４】
図１１（ｂ１）〜図１１（ｂ７）に示す様に、ダイヤル部材２１０は、ダイヤル表示面２１１、ダイヤル軸孔２１２、クリック用溝２１３および係止部材通過用の切欠部２１４を備えている。
【００９５】
図１１（ｃ１）〜図１１（ｃ４）に示す様に、ダイヤル部材２２０は、ダイヤル表示面２２１、ダイヤル軸孔２２２、クリック用溝２２３および係止部材通過用の切欠部２２４を備えている。
【００９６】
切欠部２０４、切欠部２１４、切欠部２２４は、係止部材通過用の切欠部であり、後述する軸部材３００の係止部材用溝３０４と合わさって、孔を形成することにより、その孔の中を、係止用凸部４０３を通過させることが可能となる部位である。
【００９７】
ダイヤル表示面２０１、ダイヤル表示面２１１、ダイヤル表示面２２１は、ダイヤル部材の回転位置の目印となり、解錠の為の切欠部がどの位置にあるのかを、ダイヤル錠の外方から認識可能とする部位である。
【００９８】
図１２は、軸部材３００を様々な方向から見た図である。
【００９９】
図１２（ａ）、図１２（ｂ）、図１２（ｃ）、図１２（ｄ）、図１２（ｅ）、図１２（ｆ）は順に、軸部材３００の平面図（上面図）、左側面図、正面図（前面図）、右側面図、背面図（後面図）および底面図（下面図）である。
【０１００】
図１２（ｇ）は、図１２（ｃ）に示したＣ−Ｃの位置での断面を右側面側から見た図である。
【０１０１】
図１２（ｈ）は、図１２（ｃ）に示したＤ−Ｄの位置での断面を上方から見た図である。
【０１０２】
図１２（ａ）〜図１２（ｇ）に示す様に、軸部材３００は、軸先端部３０１、軸後端部３０２、位置決めガイド３０３および係止部材用溝３０４を備えている。
【０１０３】
軸部材３００は、錠本体１００にダイヤル部材２００、ダイヤル部材２１０およびダイヤル部材２２０を回転可能に取り付ける為の部材であり、その側面に係止部材用溝３０４と位置決めガイド３０３を備えている。錠本体１００にダイヤル部材２００、ダイヤル部材２１０およびダイヤル部材２２０を装填してから錠本体１００の外部から軸部材３００を挿入して組み立てた状態において、施錠の為に外部から、係止部材４００を挿入する為の軸部材側の通路となるのが、係止部材用溝３０４である。軸部材３００を錠本体１００に挿入して組み立てた際に、係止部材４００が係止の為に挿入される錠本体１００側の通路と、軸部材３００側の通路である係止部材用溝３０４が、つながった孔または穴を形成し、互いの位置関係がずれないようにする為の突起が、位置決めガイド３０３である。つまり、位置決めガイド３０３は、軸部材３００が錠本体１００に対して回転しないようにする為の突起物であり、錠本体１００に対する周方向の位置を定める為のガイドである。
【０１０４】
また、錠本体１００にダイヤル部材２００、ダイヤル部材２１０およびダイヤル部材２２０を回転可能に取り付ける際、軸部材３００を錠本体１００に挿入する為の孔である錠本体軸孔１０２および錠本体軸孔１１２を、軸部材３００が挿入方向に抜け出てしまうのを防ぐ為の突起としての効果も、軸部材３００の位置決めガイド３０３は併せ持っている。
【０１０５】
図１３は、錠本体１００を拡大して描いた斜視図である。
【０１０６】
なお、錠本体１００は、錠本体上部１００Ａと錠本体下部１００Ｂから、図９に示した手順で形成することが可能である。
【０１０７】
図１３（ａ）は、錠本体１００を右前やや上方から見た図であり、図１３（ｂ）は、図９（ｄ４）を拡大した図である。
【０１０８】
図９（ａ４）、図９（ｃ４）、図９（ｄ４）、図１３（ａ）および図１３（ｂ）に示すように、錠本体１００は、係止部材取付孔１０１、係止部材取付孔１１１、錠本体軸孔１０２、錠本体軸孔１１２、係止用通路１０４および係止用通路１１４を備えている。
【０１０９】
係止部材取付孔１０１は、錠本体上部１００Ａの係止部材取付孔形成溝１０１Ａと、錠本体下部１００Ｂの係止部材取付孔形成溝１０１Ｂから形成され、係止部材取付孔１１１は、錠本体上部１００Ａの係止部材取付孔形成溝１１１Ａと、錠本体下部１００Ｂの係止部材取付孔形成溝１１１Ｂから形成され、錠本体軸孔１０２は、錠本体上部１００Ａの錠本体軸孔形成溝１０２Ａと、錠本体下部１００Ｂの錠本体軸孔形成溝１０２Ｂから形成され、錠本体軸孔１１２は、錠本体上部１００Ａの錠本体軸孔形成溝１１２Ａと、錠本体下部１００Ｂの錠本体軸孔形成溝１１２Ｂから形成され、係止用通路１０４は、錠本体上部１００Ａの係止用通路形成溝１０４Ａと、錠本体下部１００Ｂの係止用通路形成溝１０４Ｂから形成され、係止用通路１１４は、錠本体上部１００Ａの係止用通路形成溝１１４Ａと、錠本体下部１００Ｂの係止用通路形成溝１１４Ｂから形成される。
【０１１０】
また、錠本体１００は、ダイヤル収納部形成部１０５Ａとダイヤル収納部形成部１０５Ｂとから形成されるダイヤル収納部も備えている。
【０１１１】
以下に、ダイヤル錠１０を組み立てて、施錠状態にする手順を述べる。
【０１１２】
まず、図９に示した手順で、錠本体上部１００Ａと錠本体下部１００Ｂから錠本体１００を形成する。
次に、図９（ａ４）、図９（ｂ４）、図９（ｃ４）、図９（ｄ４）、図１３（ａ）および図１３（ｂ）に示した錠本体１００に係止部材４００を取り付ける手順を述べる。
第一段階として、ダイヤル収納部形成部１０５Ａおよびダイヤル収納部形成部１０５Ｂから形成されるダイヤル収納部の側から、先端部４０１を、係止部材取付孔１０１に挿入する。
第二段階として、係止部材取付孔１０１と係止部材取付孔１１１は、連続しており、全体として１つの孔を形成しているので、先端部４０１を、引き続いて、係止部材取付孔１１１に挿入する。
第三段階として、先端部４０１を、係止部材取付孔１１１が開口する錠本体１００の左後外側面から脱出させる。
第四段階として、後端部（不通過径大部）４０２が、完全に係止部材取付孔１０１の中に納まる様に、係止部材取付孔１１１が開口する錠本体１００の左後外側面から脱出した係止部材４００の先端部４０１の側を引っ張る。
以上の手順で、錠本体１００に係止部材４００を取り付けることが可能である。
なお、係止部材取付孔１１１の錠本体１００の外側面の側の縁が形成する外側の口の口径は、係止部材取付孔１０１のダイヤル収納部の側の縁が形成する内側の口の口径よりも小さくなっており、後端部（不通過径大部）４０２は、係止部材取付孔１０１の中に入ることは出来るが、係止部材取付孔１１１を通過することは出来なくなっている。
【０１１３】
次に、係止部材４００を取り付けられた錠本体１００に、ダイヤル部材２００、ダイヤル部材２１０およびダイヤル部材２２０を、軸部材３００を用いて取り付ける手順を述べる。
第一段階として、ダイヤル収納部形成部１０５Ａおよびダイヤル収納部形成部１０５Ｂから形成されるダイヤル収納部に、ダイヤル部材２００、ダイヤル部材２１０およびダイヤル部材２２０を装填する。
第二段階として、錠本体１００の右外側面の側から、軸部材３００の軸先端部３０１を、錠本体軸孔１０２、ダイヤル軸孔２０２、ダイヤル軸孔２１２、ダイヤル軸孔２２２、錠本体軸孔１１２の順に差し込む。
第三段階として、軸部材３００の位置決めガイド３０３を、錠本体上部１００Ａの位置決めガイド用切欠部１０３に差し込む。
以上の手順で、錠本体１００にダイヤル部材２００、ダイヤル部材２１０およびダイヤル部材２２０を、軸部材３００を用いて取り付けることが可能である。
これにより、係止用通路１０４、係止部材用溝３０４と係止用通路１１４は、係止部材４００用の一つの通路を形成する様に配置される。
つまり、係止用通路１０４と係止部材用溝３０４、係止用通路１１４と係止部材用溝３０４は、それぞれの互いの一部が対向する様に配置される。
【０１１４】
ここで、クリック用板バネ５００の錠本体下部１００Ｂに対する取り付けは、
錠本体上部１００Ａと錠本体下部１００Ｂをスライド式に組み立てて、錠本体１００を形成する前でも後でも構わないし、錠本体１００に係止部材４００を取り付けた後でも構わないし、錠本体１００に、ダイヤル部材２００、ダイヤル部材２１０およびダイヤル部材２２０を、軸部材３００を用いて取り付けた後でも構わない。
【０１１５】
次に、係止部材４００を、ダイヤル部材２００、ダイヤル部材２１０あるいはダイヤル部材２２０で係止して施錠する手順を述べる。
第一段階として、ダイヤル部材２００、ダイヤル部材２１０およびダイヤル部材２２０を解錠回転位置に回転させる。
つまり、係止部材通過用の切欠部２０４と係止部材用溝３０４、係止部材通過用の切欠部２１４と係止部材用溝３０４、係止部材通過用の切欠部２２４と係止部材用溝３０４が、それぞれ対向して、それぞれ１つの孔を形成するように、ダイヤル部材２００、ダイヤル部材２１０およびダイヤル部材２２０を回転させる。
第二段階として、係止用通路１０４、係止部材用溝３０４、係止部材通過用の切欠部２０４、係止部材通過用の切欠部２１４、係止部材通過用の切欠部２２４および係止用通路１１４で形成される係止部材用の通路に、係止用凸部４０３が係止部材通過用の切欠部２０４、係止部材通過用の切欠部２１４および係止部材通過用の切欠部２２４と対向するようにして、係止部材４００を先端部４０１の側から挿入する。
第三段階として、ダイヤル部材２００、ダイヤル部材２１０およびダイヤル部材２２０
の内の少なくとも１つを回転させて、施錠回転位置にする。
【０１１６】
以上の手順により、ダイヤル錠１０は、構成部材である錠本体上部１００Ａ、錠本体下部１００Ｂ、ダイヤル部材２００、ダイヤル部材２１０、ダイヤル部材２２０、軸部材３００、係止部材４００およびクリック用板バネ５００から組み立てて施錠することが可能である。
【０１１７】
逆に、施錠状態にあるダイヤル錠１０を分解する手順を述べる。
第一段階として、ダイヤル部材２００、ダイヤル部材２１０およびダイヤル部材２２０を解錠回転位置に回転させる。
つまり、係止部材通過用の切欠部２０４と係止部材用溝３０４、係止部材通過用の切欠部２１４と係止部材用溝３０４、係止部材通過用の切欠部２２４と係止部材用溝３０４が、それぞれ対向して、それぞれ１つの孔を形成するように、ダイヤル部材２００、ダイヤル部材２１０およびダイヤル部材２２０を回転させる。
第二段階として、
係止用通路１０４、係止部材用溝３０４、係止部材通過用の切欠部２０４、係止部材通過用の切欠部２１４、係止部材通過用の切欠部２２４および係止用通路１１４で形成される係止部材用の通路から、係止部材４００を抜去する。
第三段階として、
錠本体１００の左外側面の側から、軸部材３００の軸先端部３０１を、錠本体１００の右外側面の側に向けて押すことにより、軸部材３００を、錠本体軸孔１１２、ダイヤル軸孔２２２、ダイヤル軸孔２１２、ダイヤル軸孔２０２および錠本体軸孔１０２から押し出す。
あるいは、第三段階として、
錠本体１００の左外側面の側から、軸部材３００の軸先端部３０１を、錠本体１００の右外側面の側に向けて押すことにより、軸部材３００の軸後端部３０２側の一部を、錠本体１００の右外側面の側の錠本体軸孔１０２から押し出した後、軸部材３００の軸後端部３０２側の脱出した一部を引っ張り、軸部材３００を、錠本体軸孔１１２、ダイヤル軸孔２２２、ダイヤル軸孔２１２、ダイヤル軸孔２０２および錠本体軸孔１０２から抜き出す。
第四段階として、
ダイヤル収納部形成部１０５Ａおよびダイヤル収納部形成部１０５Ｂから形成されるダイヤル収納部から、ダイヤル部材２００、ダイヤル部材２１０およびダイヤル部材２２０を取り出す。
第五段階として、
係止部材４００が係止部材取付孔１１１から錠本体１００の外部に脱出している部分を、係止部材取付孔１１１の中に押し込むことにより、係止部材４００を、係止部材取付孔１１１および係止部材取付孔１０１からから押し出す。
あるいは、第五段階として、
係止部材４００が係止部材取付孔１１１から錠本体１００の外部に脱出している部分を、係止部材取付孔１１１の中に押し込むことにより、係止部材４００の後端部（不通過径大部）４０２側を、係止部材取付孔１０１内から、ダイヤル収納部形成部１０５Ａおよびダイヤル収納部形成部１０５Ｂから形成されるダイヤル収納部に脱出させた後、係止部材４００の後端部（不通過径大部）４０２側の脱出した一部を引っ張り、係止部材４００を、係止部材取付孔１１１および係止部材取付孔１０１から抜き出す。
第六段階として、
錠本体上部１００Ａを錠本体下部１００Ｂに対して正面側に、即ち、錠本体下部１００Ｂを錠本体上部１００Ａに対して背面側にスライドさせて、互いの係合を解除し、錠本体１００を錠本体上部１００Ａと錠本体下部１００Ｂに分解する。
第七段階として、
クリック用板バネ５００の錠本体下部１００Ｂに対する、係止爪５００ｃｎおよび係止爪５１０ｃｎによる係止を外し、錠本体下部１００Ｂからクリック用板バネ５００を取り外す。
なお、錠本体下部１００Ｂからクリック用板バネ５００を取り外す手順は、
第四段階のダイヤル収納部から、ダイヤル部材２００、ダイヤル部材２１０およびダイヤル部材２２０を取り出した後でも可能であり、
第五段階の錠本体１００から、係止部材４００を取り外した後でも可能である。
【０１１８】
以上の手順により、ダイヤル錠１０は、施錠状態から、構成部材である錠本体上部１００Ａ、錠本体下部１００Ｂ、ダイヤル部材２００、ダイヤル部材２１０、ダイヤル部材２２０、軸部材３００、係止部材４００およびクリック用板バネ５００に分解することが可能である。
【０１１９】
図１４は、図１に示したダイヤル錠１０から係止部材４００を取り除き、全てのダイヤル部材を解錠位置に合わせた状態を示す図である。
【０１２０】
図１４（ａ）は、図１に示したダイヤル錠１０の内部の状態が分かりやすくなる様に、ダイヤル錠１０から係止部材４００を取り除き、ダイヤル部材２００、ダイヤル部材２１０およびダイヤル部材２２０を全て解錠回転位置に合わせた状態の正面図である。
【０１２１】
図１４（ｂ）は、図１４（ａ）の状態のＥ−Ｅ断面を上方から見た図である。
【０１２２】
図１４（ｃ）は、図１４（ａ）の状態のＥ−Ｅ断面を右前上方から見た斜視図である。
【０１２３】
図１４（ｄ）は、図１４（ａ）の状態のＥ−Ｅ断面を右上方から見た斜視図である。
【０１２４】
なお、図１４（ａ）〜図１４（ｄ）は、図１に比べて拡大した図となっている。
【０１２５】
図１１（ａ１）〜図１１（ａ４）に示す様に、ダイヤル部材２００は、外周側面にダイヤル表示面２０１を６つ備えている。
図１１（ａ１）〜図１１（ａ４）には、全てのダイヤル表示面２０１に表記されている表示内容を示してはいないが、正面から底面、背面、上面、正面と順に一周して見た場合、６つのダイヤル表示面２０１には、正面側から、順に、「０」、「１」、「２」、「３」、「４」、「５」と表記されている。
なお、図１１（ａ１）〜図１１（ａ４）に示す様に、ダイヤル部材２００は、「０」と表記されたダイヤル表示面２０１の側に、ダイヤル軸孔２０２とつながる様に、係止部材通過用の切欠部２０４を有している。
【０１２６】
係止部材通過用の切欠部２０４は、軸部材３００の係止部材用溝３０４と共に、係止部材４００の通路を形成する為の溝である。
【０１２７】
図１１（ｂ１）〜図１１（ｂ７）に示す様に、ダイヤル部材２１０は、外周側面にダイヤル表示面２１１を６つ備えている。
図１１（ｂ１）〜図１１（ｂ７）に示す様に、正面から底面、背面、上面、正面と順に一周して見た場合、６つのダイヤル表示面２１１には、正面側から、順に、「０」、「１」、「２」、「３」、「４」、「５」と表記されている。
なお、図１１（ｂ１）〜図１１（ｂ７）に示す様に、ダイヤル部材２１０は、「０」と表記されたダイヤル表示面２１１の側に、ダイヤル軸孔２１２とつながる様に、係止部材通過用の切欠部２１４を有している。
【０１２８】
係止部材通過用の切欠部２１４は、軸部材３００の係止部材用溝３０４と共に、係止部材４００の通路を形成する為の溝である。
【０１２９】
図１１（ｃ１）〜図１１（ｃ４）に示す様に、ダイヤル部材２２０は、外周側面にダイヤル表示面２２１を６つ備えている。
図１１（ｃ１）〜図１１（ｃ４）には、全てのダイヤル表示面２２１に表記されている表示内容を示してはいないが、正面から底面、背面、上面、正面と順に一周して見た場合、６つのダイヤル表示面２２１には、正面側から、順に、「０」、「１」、「２」、「３」、「４」、「５」と表記されている。
なお、図１１（ｃ１）〜図１１（ｃ４）に示す様に、ダイヤル部材２２０は、「０」と表記されたダイヤル表示面２２１の側に、ダイヤル軸孔２２２とつながる様に、係止部材通過用の切欠部２２４を有している。
【０１３０】
係止部材通過用の切欠部２２４は、軸部材３００の係止部材用溝３０４と共に、係止部材４００の通路を形成する為の溝である。
【０１３１】
図１に示したダイヤル錠１０のダイヤル部材２００を、軸部材３００を軸として回転させて、「３」と表記されたダイヤル表示面２０１を正面に持って来て、図１４（ａ）に示す状態にすると、「０」と表記されたダイヤル表示面２０１および係止部材通過用の切欠部２０４は、ダイヤル錠１０の背面側に位置することになる。
これにより、係止部材通過用の切欠部２０４と係止部材用溝３０４は合わさって、係止用凸部４０３が通過可能な孔が形成される。
同様にして、ダイヤル部材２１０を、軸部材３００を軸として回転させて、「３」と表記されたダイヤル表示面２１１を正面に持って来て、図１４（ａ）に示す状態にすると、「０」と表記されたダイヤル表示面２１１および係止部材通過用の切欠部２１４は、ダイヤル錠１０の背面側に位置することになる。
これにより、係止部材通過用の切欠部２１４と係止部材用溝３０４は合わさって、係止用凸部４０３が通過可能な孔が形成される。
同様にして、ダイヤル部材２２０を、軸部材３００を軸として回転させて、「３」と表記されたダイヤル表示面２２１を正面に持って来て、図１４（ａ）に示す状態にすると、「０」と表記されたダイヤル表示面２２１および係止部材通過用の切欠部２２４は、ダイヤル錠１０の背面側に位置することになる。
これにより、係止部材通過用の切欠部２２４と係止部材用溝３０４は合わさって、係止用凸部４０３が通過可能な孔が形成される。
【０１３２】
上記のようにして、ダイヤル部材２００、ダイヤル部材２１０、ダイヤル部材２２０を回転させて、「３」と表記されたダイヤル表示面２０１、「３」と表記されたダイヤル表示面２１１、「３」と表記されたダイヤル表示面２２１を、ダイヤル錠１０の正面側に並べた状態が、図１４（ａ）である。
【０１３３】
図１に示したダイヤル錠１０のダイヤル部材２００、ダイヤル部材２１０、ダイヤル部材２２０を、図１４（ａ）の状態にすると、係止部材４００を除いた内部状態は、図１４（ｂ）、図１４（ｃ）および図１４（ｄ）に示す状態となり、係止部材４００の係止用凸部４０３のダイヤル部材２００、ダイヤル部材２１０およびダイヤル部材２２０の回転軸方向への移動が可能となる。
つまり、係止用凸部４０３を係止するダイヤル部材がなくなる為、錠本体と軸部材とダイヤル部材から成る施錠部に対する係止部材４００の先端部４０１および係止用凸部４０３の挿入および抜去が可能となり、ダイヤル錠１０は解錠状態となる。
【０１３４】
図１５は、図１に示したダイヤル錠１０から係止部材４００を取り除き、全てのダイヤル部材を施錠位置に合わせた状態を示す図である。
【０１３５】
図１５（ａ）は、図１に示したダイヤル錠１０の内部の状態が分かりやすくなる様に、ダイヤル錠１０から係止部材４００を取り除き、ダイヤル部材２００、ダイヤル部材２１０およびダイヤル部材２２０を全て施錠回転位置に合わせた状態の正面図である。
【０１３６】
図１５（ｂ）は、図１５（ａ）の状態のＦ−Ｆ断面を上方から見た図である。
【０１３７】
図１５（ｃ）は、図１５（ａ）の状態のＦ−Ｆ断面を右前上方から見た斜視図である。
【０１３８】
図１５（ｄ）は、図１５（ａ）の状態のＦ−Ｆ断面を右上方から見た斜視図である。
【０１３９】
なお、図１５（ａ）〜図１５（ｄ）は、図１に比べて拡大した図となっている。
【０１４０】
図１に示したダイヤル錠１０のダイヤル部材２００を、軸部材３００を軸として回転させて、「５」と表記されたダイヤル表示面２０１を正面に持って来て、図１５（ａ）に示す状態にすると、「０」と表記されたダイヤル表示面２０１および係止部材通過用の切欠部２０４は、ダイヤル錠１０の前下側に位置することになる。
これにより、係止部材通過用の切欠部２０４と係止部材用溝３０４は合わさらず、係止用凸部４０３が通過可能な孔は形成されない。
同様にして、ダイヤル部材２１０を、軸部材３００を軸として回転させて、「１」と表記されたダイヤル表示面２１１を正面に持って来て、図１５（ａ）に示す状態にすると、「０」と表記されたダイヤル表示面２１１および係止部材通過用の切欠部２１４は、ダイヤル錠１０の前上側に位置することになる。
これにより、係止部材通過用の切欠部２１４と係止部材用溝３０４は合わさらず、係止用凸部４０３が通過可能な孔が形成されない。
同様にして、ダイヤル部材２２０を、軸部材３００を軸として回転させて、「２」と表記されたダイヤル表示面２２１を正面に持って来て、図１５（ａ）に示す状態にすると、「０」と表記されたダイヤル表示面２２１および係止部材通過用の切欠部２２４は、ダイヤル錠１０の後上側に位置することになる。
これにより、係止部材通過用の切欠部２２４と係止部材用溝３０４は合わさらず、係止用凸部４０３が通過可能な孔が形成されない。
【０１４１】
上記のようにして、ダイヤル部材２００、ダイヤル部材２１０、ダイヤル部材２２０を回転させて、「５」と表記されたダイヤル表示面２０１、「１」と表記されたダイヤル表示面２１１、「２」と表記されたダイヤル表示面２２１を、ダイヤル錠１０の正面側に並べた状態が、図１５（ａ）である。
【０１４２】
図１に示したダイヤル錠１０のダイヤル部材２００、ダイヤル部材２１０、ダイヤル部材２２０を、図１５（ａ）の状態にすると、係止部材４００を除いた内部状態は、図１５（ｂ）、図１５（ｃ）および図１５（ｄ）に示す状態となり、係止部材４００の係止用凸部４０３のダイヤル部材２００、ダイヤル部材２１０およびダイヤル部材２２０の回転軸方向への移動が不可能となる。
つまり、３つの異なる係止用凸部４０３が、それぞれ異なる３つのダイヤル部材の各ダイヤル軸孔の縁で係止される為、錠本体と軸部材とダイヤル部材から成る施錠部に対する係止部材４００の先端部４０１および係止用凸部４０３の挿入および抜去が不可能となり、ダイヤル錠１０は施錠状態となる。
【０１４３】
例として挙げた図１５においては、３つの全てのダイヤル部材が係止用凸部４０３を係止しているが、３つのダイヤル部材の内、少なくとも一つのダイヤル部材が係止用凸部４０３を係止していれば、施錠部に対する係止部材４００の先端部４０１および係止用凸部４０３の挿入および抜去が不可能となり、ダイヤル錠１０は施錠状態となる。
【０１４４】
つまり、図１１に示したダイヤル部材２００、ダイヤル部材２１０およびダイヤル部材２２０を備えるダイヤル錠１０の場合、ダイヤル錠１０の正面側に、ダイヤル部材２００の「３」と表記されたダイヤル表示面２０１、ダイヤル部材２１０の「３」と表記されたダイヤル表示面２１１、ダイヤル部材２２０の「３」と表記されたダイヤル表示面２２１が並んで配置される図１４（ａ）に示す場合以外の、ダイヤル部材の回転位置の組み合わせは、施錠状態となる。
【０１４５】
なお、ダイヤル錠１０のダイヤル部材の数は３つであったが、実際の使用に際しては、ダイヤル錠のダイヤル部材の数は２つでも、４つ以上であっても構わない。用途に応じて決定すればよい。
また、ダイヤル錠１０の各ダイヤル部材が備えるダイヤル表示面は６つであったが、各ダイヤル部材が備えるダイヤル表示面は、６つ未満でも、７つ以上でも構わない。
また、ダイヤル錠１０の各ダイヤル部材が備える係止部材通過用の切欠部は、「０」と表記されたダイヤル表示面の側に存在していたが、他の表記がなされた側に存在しても構わない。
また、各ダイヤル部材が備えるダイヤル表示面の表記は、数字であったが、文字や絵や色などであっても構わない。
また、クリック用板バネ５００は、クリック脚を３つ備えていたが、実際には、クリック用板バネを採用するダイヤル錠のダイヤル部材の数に応じて、クリック用板バネが備えるクリック脚の数を決めればよい。
また、クリック用板バネ５００は、装着脚を２つ備えていたが、実際には、クリック用板バネを採用するダイヤル錠に対する装着状態に応じて、クリック用板バネが備える装着脚の数を決めればよい。
また、クリック用板バネ５００の２つの装着脚の備える各々の前記係止爪は、互いに対向する向きに形成されているが、互いに離反する向きに形成しても構わない。
【０１４６】
ダイヤル部材の所定の回転位置において、ダイヤル部材を節度停止させる為のクリック用板バネを、ダイヤル錠に採用することで、ダイヤル部材の回転に伴って、クリック用板バネのダイヤル部材への接触する力が変化し、ダイヤル部材の回転に伴う摩擦抵抗が複雑となる。
その結果、ダイヤル部材を回転させることによりダイヤル部材の解錠回転位置を触知することを困難とすることができる。
つまり、クリック用板バネには、不正開錠防止効果が存在し、ダイヤル錠においては重要な部材である。
【０１４７】
本発明のクリック用板バネには、以下の（１）〜（４）の特徴がある。
（１）本発明のクリック用板バネは、一体としての形成が可能であり、接着や溶接やネジ留めなどの必要がなく、着脱が容易である。
（２）ダイヤル収納部と錠本体外側面の間の壁の厚みが４〜５ｍｍ程度さえあれば、本発明の板バネ取り付け部の作製は可能である。
（３）ダイヤル収納部と錠本体外側面の間の壁に対する、本発明のクリック用板バネの取り付けは、錠本体外側面から、ダイヤル収納部へ向けて、本発明の板バネ取り付け部に押し込むだけで可能である。
（４）本発明の板バネ取り付け部からの本発明のクリック用板バネの取り外しは、ダイヤル収納部の側からに限り、クリック用板バネが有する係止爪による錠本体への係止を外すだけで行える。
【０１４８】
以上のように、本発明のクリック用板バネは、使用者本人がネジまわし等の専用の工具無しに着脱を簡単に行え、製作コストが安く、人件費を要しないので、組み立ておよび分解が可能なダイヤル錠に採用可能である。
【０１４９】
また、本発明のクリック用板バネは、勿論、従来からの分解不可能なダイヤル錠に採用することも可能である。
【０１５０】
また、本発明のクリック用板バネは、勿論、ダイヤル部材を有するダイヤル錠であり、ダイヤル収納部と錠本体外側面の間に、４〜５ｍｍ程度以上の厚みを持つ壁を有するダイヤル錠であれば、どのようなタイプのダイヤル錠にでも採用することが可能である。
【産業上の利用可能性】
【０１５１】
本発明のクリック用板バネは、様々なダイヤル錠に採用が可能であり、使用者本人がドライバなどの専用の工具無しに着脱を簡単に行え、製作コストが安く、人件費を要しない為、組み立ておよび分解が可能なダイヤル錠に採用した場合、組み立ておよび分解が可能なダイヤル錠を、安価で提供できる可能性がある。
【図面の簡単な説明】
【０１５２】
【図１】図１は、ダイヤル錠１０を様々な方向から見た図である。
【図２】図２は、錠本体下部１００Ｂを様々な方向から見た図である。
【図３】図３は、図２（ａ）に示したＡ−Ａの位置とＢ−Ｂの位置における錠本体下部１００Ｂの断面を、様々な方向から見た図である。
【図４】図４は、クリック用板バネ５００を様々な方向から見た図である。
【図５】図５は、板バネ取り付け部１０８に対するクリック用板バネ５００の装着手順を示す図である。
【図６】図６は、クリック用板バネ５００を装着した錠本体下部１００Ｂを示す図である。
【図７】図７は、錠本体上部１００Ａを様々な方向から見た図である。
【図８】図８は、上下を反転させた錠本体上部１００Ａの斜視図である。
【図９】図９は、錠本体上部１００Ａと錠本体下部１００Ｂをスライド式に組み立てる手順を示す図である。
【図１０】図１０は、係止部材４００を示す図である。
【図１１】図１１は、ダイヤル部材２００、ダイヤル部材２１０、ダイヤル部材２２０を様々な方向から見た図である。
【図１２】図１２は、軸部材３００を様々な方向から見た図である。
【図１３】図１３は、錠本体１００を拡大して描いた斜視図である。
【図１４】図１４は、図１に示したダイヤル錠１０から係止部材４００を取り除き、全てのダイヤル部材を解錠位置に合わせた状態を示す図である。
【図１５】図１５は、図１に示したダイヤル錠１０から係止部材４００を取り除き、全てのダイヤル部材を施錠位置に合わせた状態を示す図である。
【符号の説明】
【０１５３】
１０    ダイヤル錠
１００    錠本体
１０１    係止部材取付孔
１０２    錠本体軸孔
１１１    係止部材取付孔
１１２    錠本体軸孔
１０４    係止用通路
１０５    ダイヤル収納部
１１４    係止用通路
１００Ａ    錠本体上部
１０１Ａ    係止部材取付孔形成溝
１１１Ａ    係止部材取付孔形成溝
１０２Ａ    錠本体軸孔形成溝
１１２Ａ    錠本体軸孔形成溝
１０３    位置決めガイド用切欠部
１０４Ａ    係止用通路形成溝：係止部材をダイヤル部材で係止する為の係止部材用の通路を形成する為の溝
１１４Ａ    係止用通路形成溝：係止部材をダイヤル部材で係止する為の係止部材用の通路を形成する為の溝
１０５Ａ    ダイヤル収納部形成部
１０６Ａ    スライド用係合凸部
１１６Ａ    スライド用係合凸部
１０７Ａ    スライド用係合凹部
１１７Ａ    スライド用係合凹部
１００ＳＡ    錠本体下部１００Ｂに対向する面
１００Ｂ    錠本体下部
１０１Ｂ    係止部材取付孔形成溝
１１１Ｂ    係止部材取付孔形成溝
１０２Ｂ    錠本体軸孔形成溝
１１２Ｂ    錠本体軸孔形成溝
１０４Ｂ    係止用通路形成溝：係止部材をダイヤル部材で係止する為の係止部材用の通路を形成する為の溝
１１４Ｂ    係止用通路形成溝：係止部材をダイヤル部材で係止する為の係止部材用の通路を形成する為の溝
１０５Ｂ    ダイヤル収納部形成部
１０６Ｂ    スライド用係合凸部
１１６Ｂ    スライド用係合凸部
１０７Ｂ    スライド用係合凹部
１１７Ｂ    スライド用係合凹部
１０８    板バネ取り付け部
１０８ａ    板バネ基部用スペース
１０８ｂ    クリック脚用貫通孔
１１８ｂ    クリック脚用貫通孔
１１８ｂａ    前壁
１１８ｂｐ    後壁
１２８ｂ    クリック脚用貫通孔
１２８ｂｐ    後壁
１０８ｃ    装着脚用貫通孔
１１８ｃ    装着脚用貫通孔
１００ＳＢ    錠本体上部１００Ａに対向する面
２００    ダイヤル部材
２０１    ダイヤル表示面：ダイヤルの回転位置の目印となる。
２０２    ダイヤル軸孔
２０３    クリック用溝
２０４    係止部材通過用の切欠部
２１０    ダイヤル部材
２１１    ダイヤル表示面：ダイヤルの回転位置の目印となる。
２１２    ダイヤル軸孔
２１３    クリック用溝
２１４    係止部材通過用の切欠部
２２０    ダイヤル部材
２２１    ダイヤル表示面：ダイヤルの回転位置の目印となる。
２２２    ダイヤル軸孔
２２３    クリック用溝
２２４    係止部材通過用の切欠部
３００    軸部材
３０１    軸先端部
３０２    軸後端部
３０３    位置決めガイド
３０４    係止部材用溝
４００    係止部材
４０１    先端部
４０２    後端部（不通過径大部）
４０３    係止用凸部
５００    クリック用板バネ
５００ａ    板バネ基部
５００ｂ    クリック脚
５１０ｂ    クリック脚
５２０ｂ    クリック脚
５００ｃ    装着脚
５００ｃｎ    係止爪
５１０ｃ    装着脚
５１０ｃｎ    係止爪
【図１】
2011241581.tif 000003
【図２】
2011241581.tif 000004
【図３】
2011241581.tif 000005
【図４】
2011241581.tif 000006
【図５】
2011241581.tif 000007
【図６】
2011241581.tif 000008
【図７】
2011241581.tif 000009
【図８】
2011241581.tif 000010
【図９】
2011241581.tif 000011
【図１０】
2011241581.tif 000012
【図１１】
2011241581.tif 000013
【図１２】
2011241581.tif 000014
【図１３】
2011241581.tif 000015
【図１４】
2011241581.tif 000016
【図１５】
2011241581.tif 000017
【手続補正書】
【提出日】平成22年5月18日(2010.5.18)
【手続補正１】
【補正対象書類名】明細書
【補正対象項目名】０１１４
【補正方法】変更
【補正の内容】
【０１１４】
ここで、クリック用板バネ５００の錠本体下部１００Ｂに対する取り付けは、錠本体上部１００Ａと錠本体下部１００Ｂをスライド式に組み立てて、錠本体１００を形成する前でも後でも構わないし、錠本体１００に係止部材４００を取り付けた後でも構わないし、錠本体１００に、ダイヤル部材２００、ダイヤル部材２１０およびダイヤル部材２２０を、軸部材３００を用いて取り付けた後でも構わない。
【手続補正２】
【補正対象書類名】明細書
【補正対象項目名】０１１７
【補正方法】変更
【補正の内容】
【０１１７】
逆に、施錠状態にあるダイヤル錠１０を分解する手順を述べる。
第一段階として、ダイヤル部材２００、ダイヤル部材２１０およびダイヤル部材２２０を解錠回転位置に回転させる。
つまり、係止部材通過用の切欠部２０４と係止部材用溝３０４、係止部材通過用の切欠部２１４と係止部材用溝３０４、係止部材通過用の切欠部２２４と係止部材用溝３０４が、それぞれ対向して、それぞれ１つの孔を形成するように、ダイヤル部材２００、ダイヤル部材２１０およびダイヤル部材２２０を回転させる。
第二段階として、係止用通路１０４、係止部材用溝３０４、係止部材通過用の切欠部２０４、係止部材通過用の切欠部２１４、係止部材通過用の切欠部２２４および係止用通路１１４で形成される係止部材用の通路から、係止部材４００を抜去する。
第三段階として、錠本体１００の左外側面の側から、軸部材３００の軸先端部３０１を、錠本体１００の右外側面の側に向けて押すことにより、軸部材３００を、錠本体軸孔１１２、ダイヤル軸孔２２２、ダイヤル軸孔２１２、ダイヤル軸孔２０２および錠本体軸孔１０２から押し出す。
あるいは、第三段階として、錠本体１００の左外側面の側から、軸部材３００の軸先端部３０１を、錠本体１００の右外側面の側に向けて押すことにより、軸部材３００の軸後端部３０２側の一部を、錠本体１００の右外側面の側の錠本体軸孔１０２から押し出した後、軸部材３００の軸後端部３０２側の脱出した一部を引っ張り、軸部材３００を、錠本体軸孔１１２、ダイヤル軸孔２２２、ダイヤル軸孔２１２、ダイヤル軸孔２０２および錠本体軸孔１０２から抜き出す。
第四段階として、ダイヤル収納部形成部１０５Ａおよびダイヤル収納部形成部１０５Ｂから形成されるダイヤル収納部から、ダイヤル部材２００、ダイヤル部材２１０およびダイヤル部材２２０を取り出す。
第五段階として、係止部材４００が係止部材取付孔１１１から錠本体１００の外部に脱出している部分を、係止部材取付孔１１１の中に押し込むことにより、係止部材４００を、係止部材取付孔１１１および係止部材取付孔１０１からから押し出す。
あるいは、第五段階として、係止部材４００が係止部材取付孔１１１から錠本体１００の外部に脱出している部分を、係止部材取付孔１１１の中に押し込むことにより、係止部材４００の後端部（不通過径大部）４０２側を、係止部材取付孔１０１内から、ダイヤル収納部形成部１０５Ａおよびダイヤル収納部形成部１０５Ｂから形成されるダイヤル収納部に脱出させた後、係止部材４００の後端部（不通過径大部）４０２側の脱出した一部を引っ張り、係止部材４００を、係止部材取付孔１１１および係止部材取付孔１０１から抜き出す。
第六段階として、錠本体上部１００Ａを錠本体下部１００Ｂに対して正面側に、即ち、錠本体下部１００Ｂを錠本体上部１００Ａに対して背面側にスライドさせて、互いの係合を解除し、錠本体１００を錠本体上部１００Ａと錠本体下部１００Ｂに分解する。
第七段階として、クリック用板バネ５００の錠本体下部１００Ｂに対する、係止爪５００ｃｎおよび係止爪５１０ｃｎによる係止を外し、錠本体下部１００Ｂからクリック用板バネ５００を取り外す。
なお、錠本体下部１００Ｂからクリック用板バネ５００を取り外す手順は、第四段階のダイヤル収納部から、ダイヤル部材２００、ダイヤル部材２１０およびダイヤル部材２２０を取り出した後でも可能であり、第五段階の錠本体１００から、係止部材４００を取り外した後でも可能である。

【手続補正書】
【提出日】平成22年6月14日(2010.6.14)
【手続補正１】
【補正対象書類名】明細書
【補正対象項目名】０１１０
【補正方法】変更
【補正の内容】
【０１１０】
また、錠本体１００は、ダイヤル収納部形成部１０５Ａとダイヤル収納部形成部１０５Ｂとから形成されるダイヤル収納部１０５も備えている。
【手続補正２】
【補正対象書類名】図面
【補正対象項目名】全図
【補正方法】変更
【補正の内容】
【図１】
2011241581.tif 000018
【図２】
2011241581.tif 000019
【図３】
2011241581.tif 000020
【図４】
2011241581.tif 000021
【図５】
2011241581.tif 000022
【図６】
2011241581.tif 000023
【図７】
2011241581.tif 000024
【図８】
2011241581.tif 000025
【図９】
2011241581.tif 000026
【図１０】
2011241581.tif 000027
【図１１】
2011241581.tif 000028
【図１２】
2011241581.tif 000029
【図１３】
2011241581.tif 000030
【図１４】
2011241581.tif 000031
【図１５】
2011241581.tif 000032